(57)【要約】【課題】機械式駐車場に隣接しているマンションや他のビルの機械式駐車場利用者が、その隣接する利便性を活用して駐車車両の使用性を一層向上させることができるようにした機械式駐車場インターホン連動装置を提供する。【解決手段】インターホン管理盤３に、各インターホン操作端末１から機械式駐車場の出庫予約を行うことを判別して検出する駐車場連動部１８を設け、駐車場制御盤１７に、駐車場連動部１８を経由して出庫予約を受け付ける予約処理部２０と、予約処理部２０への登録に基づいて駐車場制御盤１７による対応する駐車車両の移動を制御する予約出庫管理部２１を設けた。【選択図】図１
2020176434.tif 000002
【特許請求の範囲】
【請求項１】
各室にそれぞれ設置されたインターホン操作端末と、前記各インターホン操作端末に接続されて管理室に設置されたインターホン管理盤と、隣接して構成された機械式駐車場に設置された駐車場制御盤を備えた機械式駐車場インターホン連動装置において、
前記インターホン管理盤に、前記各インターホン操作端末から前記機械式駐車場の出庫予約を行うことを判別して検出する駐車場連動部を設け、前記駐車場制御盤に、前記駐車場連動部を経由して出庫予約を受け付ける予約処理部と、前記予約処理部への登録に基づいて前記駐車場制御盤による対応する駐車車両の移動を制御する予約出庫管理部を設けたことを特徴とする機械式駐車場インターホン連動装置。
【請求項２】
前記予約処理部に、現在の運転状況を判定する駐車場運転判定部と、前記駐車場運転判定部による判定で先行する運転がない場合に対応する駐車車両のトレー位置から予約時間を算出する予約時間算出部と、前記予約時間算出部による予約時間を前記インターホン管理盤から予約操作中の前記インターホン操作端末に通知する予約時間通知部を設けたことを特徴とする請求項１に記載の機械式駐車場インターホン連動装置
【発明の詳細な説明】
【技術分野】
【０００１】
本発明は、ビルに隣接された機械式駐車場を備えた構成の機械駐車場インターホン連動装置に関する。
【背景技術】
【０００２】
従来の機械式駐車場連動装置として、特開２０１５−４５１７６号公報（特許文献１）が知られている。この特許文献１には、かごの運転を制御するエレベータ制御盤と、前記かご内に設けられ、立体駐車場に駐車された車両の出庫指示を行う車両出庫指示装置と、を備えたエレベータであって、前記車両出庫指示装置は、出庫する車両の車両情報が記憶された記憶手段から車両情報を読み取ることにより車両情報が入力され、通常時に設定される車両情報を入力不能な入力不能モードと、車両情報を入力可能な入力可能モードと、を有する入力手段と、前記入力手段により入力された車両情報により特定される車両の出庫指示信号を、前記エレベータ制御盤を介して、前記立体駐車場に駐車された車両の出庫処理を制御する立体駐車場制御盤に送信する出庫指示信号送信手段と、前記入力手段を前記入力不能モードから前記入力可能モードに移行するモード移行手段と、を備えたエレベータが記載されている。
【先行技術文献】
【特許文献】
【０００３】
【特許文献１】特開２０１５−４５１７６号公報
【発明の概要】
【発明が解決しようとする課題】
【０００４】
しかしながら、特許文献１に記載された従来の機械駐車場ビルセキュリティ連動装置は、機械式駐車装置とエレベータ利用者との限定された経路の中だけで有効なものであり、途中に利用者の予測できない行動などが含まれると、十分な効果を期待することができなかった。
【０００５】
本発明の目的は、機械式駐車場に隣接しているマンションや他のビルの機械式駐車場利用者が、その隣接する利便性を活用して駐車車両の使用性を一層向上させることができるようにした機械式駐車場インターホン連動装置を提供するにある。
【課題を解決するための手段】
【０００６】
本発明は上記目的を達成するために、各室にそれぞれ設置されたインターホン操作端末と、前記各インターホン操作端末に接続されて管理室に設置されたインターホン管理盤と、隣接して構成された機械式駐車場に設置された駐車場制御盤を備えた機械式駐車場インターホン連動装置において、前記インターホン管理盤に、前記各インターホン操作端末から前記機械式駐車場の出庫予約を行うことを判別して検出する駐車場連動部を設け、前記駐車場制御盤に、前記駐車場連動部を経由して出庫予約を受け付ける予約処理部と、前記予約処理部への登録に基づいて前記駐車場制御盤による対応する駐車車両の移動を制御する予約出庫管理部を設けたことを特徴とする。
【発明の効果】
【０００７】
本発明による機械式駐車場インターホン連動装置によれば、機械式駐車場に隣接しているマンションや他のビルの機械式駐車場利用者は、通常設置されているインターホン操作端末を利用して出庫予約を行うことができ、その隣接する利便性を活用して駐車車両の使用性を一層向上させることができる。しかも、インターホン管理盤をインターホン操作端末と駐車場制御盤の間で兼用することによって、構成を複雑にすることなく、望まない人の使用を比較的に容易に阻止することができる。
【図面の簡単な説明】
【０００８】
【図１】本発明の一実施例による機械式駐車場インターホン連動装置のブロック構成図である。
【図２】図１に示した機械式駐車場インターホン連動装置のインターホン管理盤を示すブロック構成図である。
【図３】図１に示した機械式駐車場インターホン連動装置の機械式駐車場制御盤を示すブロック構成図である。
【図４】図１に示した機械式駐車場インターホン連動装置の処理動作を示すフローチャートである。
【図５】図１に示した機械式駐車場インターホン連動装置におけるインターホン操作盤の認証処理画面を示す正面図である。
【図６】図１に示した機械式駐車場インターホン連動装置におけるインターホン操作盤の駐車場運転情報表示画面を示す正面図である。
【図７】図１に示した機械式駐車場インターホン連動装置におけるインターホン操作盤の駐車場予約情報表示画面を示す正面図である。
【発明を実施するための形態】
【０００９】
以下、本発明の実施の形態を図面に基づいて説明する。
【００１０】
図１は、本発明の一実施の形態による機械式駐車場インターホン連動装置の概略構成を示すブロック構成図である。
【００１１】
マンションやその他ビルの各室内にはインターホン操作端末１がそれぞれ設置されており、各インターホン操作端末１は各室の玄関またはフロア受付に設置された玄関インターホン２にそれぞれ接続されている。また、各インターホン操作端末１は、管理室などに設置されたインターホン管理盤３を通して、マンションやビルのエントランスに設置されたエントランスインターホン４に接続されている。
【００１２】
インターホン操作端末１は、カメラによって撮影された画像を表示する画面５と、通話を行う場合に操作される通話ボタン６と、相手を確認するために画面に映像を映し出すときに操作されるモニターボタン７と、インターホンでの通話を終了するときに操作される終了ボタン８と、機械式駐車場の出庫予約ための使用する際に操作される駐車場予約ボタン９などを有している。
【００１３】
玄関インターホン２は、操作する人を撮影するカメラ１０と、相手を呼び出す際に操作される呼びボタン１１などを有している。また、エントランスインターホン４は、操作者を撮影するカメラ１２と、訪問先の部屋番号などを入力するために使用される相手選択ボタン１３と、相手選択ボタン１３による入力後に呼出を行うために使用される呼出ボタン１４と、付加的情報を表示する表示部１５などを有している。
【００１４】
インターホン管理盤３は、インターホンとしての役割を制御している通常構成部１６の他に、各室内に設置されたインターホン操作端末１の駐車場ボタン９が操作されたときに当該インターホン操作端末１と機械式駐車場における駐車場制御盤１７との連結をとる駐車場連動部１８を有している。
【００１５】
ビルに隣接して構成された機械式駐車場は、その乗込口付近に配置された操作盤を使用して車両の入庫および出庫を行う通常構成部１９の他に、各室内に設置されたインターホン操作端末１からの出庫予約を受け付けて予約処理を行う予約処理部２０と、予約処理部２０の決定に基づいて駐車車両の出庫処理を行う管理し、かつ通常構成部１９を制御して予約された駐車車両の出庫処理を行う予約出庫管理部２１を有している。
【００１６】
図２は、インターホン管理盤３のより詳細を示すブロック構成図である。
【００１７】
インターホン操作端末１に接続されたインターホン管理盤３は、上述したように通常構成部１６の他に駐車場連動部１８を有している。新たに追加された駐車場連動部１８は、インターホン操作端末１の駐車場予約ボタン９が操作されたことを検出する駐車場利用判別部２２と、駐車場利用判別部２２が操作されたときにインターホン操作端末１の画面５を出庫予約のために管理する画面表示制御部２３と、画面表示制御部２３によって画面５の表示で促された利用者が暗証番号を入力したとき現在の操作者が駐車場利用者であることを判定する駐車場利用者認証判定部２４と、駐車場利用者認証判定部２４によって認証されたとき画面表示制御部２３を通して出庫予約に関連する情報をインターホン操作端末１の画面５に提供する駐車場側情報送信部２５と、これらの各部を後述する出庫予約連動プログラムに従って制御する制御部２６と、出庫予約連動プログラムを格納した記憶部２７を有している。
【００１８】
図３は、機械式駐車場制御盤１７のより詳細を示すブロック構成図である。
【００１９】
インターホン管理盤３に接続された機械式駐車場制御盤１７は、上述したように通常構成部１９の他に予約処理部２０を有している。この予約処理部２０は、インターホン管理盤３からの出庫予約信号を出庫予約者の暗証番号と共に受信するインターホン出庫予約受信部２８と、インターホン出庫予約判定部２８が出庫予約信号を判定したとき機械式駐車場が運転状態になっているかを判定する駐車場運転判定部２９と、駐車場運転判定部２９が運転状態と判定したとき出庫予約者の駐車車両のトレー位置を通常構成部１９から抽出するトレー位置判定部３０と、トレー位置判定部３０で抽出したトレー位置情報や先行する出庫予約を考慮して出庫の予約時間を算出する予約時間算出部３１と、予約時間算出部３１が算出した出庫の予約時間をインターホン管理盤３の駐車場側情報送信部２５を通してインターホン操作端末１に通知する予約時間通知部３２を有している。
【００２０】
また機械式駐車場制御盤１７は、上述した予約処理部２０の他に、予約処理部２０が算出した出庫予約時間に出庫が実行されるように通常構成部１９を制御する予約出庫管理部２１と、これらの各部を後述する出庫予約プログラムに従って制御する制御部３３と、出庫予約プログラムを格納した記憶部３４などを有している。
【００２１】
図４は、上述した出庫予約連動プログラムおよび出庫予約プログラムに従って行われる処理を示すフローチャートである。
【００２２】
今、自宅にいる駐車場利用者が、機械式駐車場に駐車している自家用車を出庫させるために出庫予約を行う場合、先ず、自宅にいる駐車場利用者がステップＳ１で、自室内からインターホン操作端末１の駐車場予約ボタン９を操作する。すると、インターホン管理盤３は、駐車場予約ボタン９の信号を駐車場連動部１８が受信する。信号を駐車場連動部１８は、図２に示したように駐車場利用判別部２２で上述の判定を行った後、ステップＳ２で画像表示制御部２３によりインターホン操作端末１の画面５を認証画面に切り替えて表示し、インターホン操作端末１の操作者が駐車場利用者かどうかを判定するための処理を行う。
【００２３】
図５は、インターホン操作端末１における画面５の認証画面を示す正面図である。
【００２４】
画面５の認証画面は、図５に示すように「お客様の駐車場暗証番号を入力してください」というメッセージと共に、タッチ操作によるボタン表示３５が表示される。そこで、インターホン操作端末１の操作者は、ステップＳ３としてボタン表示３５をタッチして予め登録されている暗証番号を入力し、暗証番号の入力確認画面３６で入力状況を確認した後、呼出ボタン３７をタッチする。
【００２５】
すると、呼出ボタン２９のタッチ信号は、インターホン管理盤３の駐車場利用者認証判定部２４に取り込まれ、駐車場利用者認証判定部２４はステップＳ４で、予め登録された暗証番号と照合される。その結果、両者が合致する場合、駐車場利用者認証判定部２４はステップＳ５で、駐車場側情報送受信部２５を通して暗証番号と共に出庫予約開始信号を駐車場操作盤１７へ送信する。尚、照合の結果、両者が合致しない場合は、ステップＳ２に戻ってインターホン操作端末１における画面５に不一致のため再度、暗証番号を確認して入力するよう促したりする。
【００２６】
図３に示したように駐車場操作盤１７の予約処理部２０におけるインターホン出庫予約受信部２８は、駐車場運転判定部２９とトレー位置判定部３０に作動信号を与える。
【００２７】
駐車場運転判定部２９はステップＳ７で、駐車場が他の駐車車両のために処理運転中または先行する出庫予約があるかどうかを判定する。これに前後して、トレー位置判定部３０はステップＳ６で、受信した暗証番号を用いて対応する駐車車両を搭載したトレーの位置情報を通常構成部１９から抽出し、現在位置情報を得る。
【００２８】
駐車場運転判定部２９による判定の結果、処理運転中でなく先行する予約もない場合、予約時間算出部３１はステップＳ８で、トレー位置判定部３０で取得したトレーの位置情報に基づいて対応する駐車車両を乗降室に準備できるまでの移動時間、つまり準備完了時間を算出する。この移動時間は、対応するトレーの位置情報に基づいて容易に算出することができる。これと並行してステップＳ８で、通常構成部１９を作動させて対応するトレーの移動を開始する。
【００２９】
その後、予約時間算出部３１から完了信号を受けた予約時間通知部３２は、ステップ９で図２に示したインターホン管理盤３の駐車場側情報送受信部２５に通知する。駐車場側情報送受信部２５はステップＳ１０で、画像表示制御部２３に切替信号を与えて、インターホン操作端末１の表示を切り替える。
【００３０】
図６は、切り替え後のインターホン操作端末１の画面５を示す正面図である。
【００３１】
今回の画面５は、既に決定されている予約時間に基づいて「駐車場が運転を開始しました。お客様の車両トレーは、約３分３０秒で到着します。駐車場までお越し下さい。」という駐車場運転情報３８を表示する。
【００３２】
一方、駐車場運転判定部２９によるステップＳ７の判定で、駐車場が他の駐車車両のために処理運転中または先行する予約があった場合、図３に示した駐車場運転判定部２９は予約出庫管理部２１の駐車場運転予約リストに登録する。また予約出庫管理部２１はステップＳ１２で、駐車場運転予約リストの登録情報を参照しながら予約時間通知部３２を通して、先の場合とは異なる情報を図２に示したインターホン管理盤３の駐車場側情報送受信部２５に通知する。これを受けた駐車場側情報送受信部２５はステップＳ１３で、画像表示制御部２３に切替信号を与えて、インターホン操作端末１の表示を切り替える。
【００３３】
図７は、切り替え後のインターホン操作端末１の画面５を示す正面図である。
【００３４】
今回の画面５は、既に決定されている予約件数に基づいて「駐車場の運転予約を受け付けました。お客様の車両トレーは、２件後に呼び出されます。駐車場までお越し下さい。」という駐車場予約情報３９を表示する。
【００３５】
このように予約出庫管理部２１に駐車場運転予約リストを設けて出庫予約を登録できるようにしているため、先行する出庫予約台数が増えた場合、登録台数の増加に伴って予測時間に誤差が生じる可能性がある。しかし、先行する出庫予約台数がない場合はほぼ正確な予約時間を提供できるため、出庫準備ができているにも拘わらず利用者が到着せずに利用率が低下することを防止して、当該状況でのサービスを向上させることができる。
【００３６】
各室に設置されているインターホン操作端末１を使用して出庫予約を行うことができるので、機械式駐車場に隣接したマンションまたはその他のビルの利便性を生かして、予約の結果を簡単に入手することができる。
【００３７】
しかも、図６または図７のように異なる予約状況結果を受け取った場合でも、隣接している機械式駐車場へ直ちに移動したり、自分の部屋で予測時間近くまで待機したりすることもできる。従来の構成では、機械式駐車場の乗込室の入り口近傍に配置されている操作盤の前に立って操作を行うことが必要であったため、混雑していて待ち時間がある場合にはその場で待機していなければならなかったが、こうした待ち時間を減らすことができる。
【００３８】
尚、本発明は、上述した実施例に限らず適用することができ、インターホン操作端末１としては種々の構造のものを使用することができ、例えば駐車場予約ボタン９の代わりに他の信号源を使用することもできる。また、インターホン操作端末１の画面５は、図示の表示例に限らず変更することができる。さらに、インターホン操作端末１と駐車場制御盤１７間は、インターホン管理盤３を通して接続しているため、既にマンションにおいて構築されているビルセキュリティシステムを流用して、図２に示した駐車場利用者認証判別部２４は、暗証番号による判別に代えて部屋番号など他のものに置き換えることもできる。
【００３９】
また上述した実施例では、インターホン管理盤３を通して各室に設置されたインターホン操作端末１と駐車場制御盤１７間を接続した構成について説明したが、インターホン管理盤３を通して図１に示したエントランスインターホン４と駐車場制御盤１７間を接続した構成を同様に利用することができる。
【００４０】
以上説明したように本発明は、各室にそれぞれ設置されたインターホン操作端末１と、各インターホン操作端末１に接続されて管理室に設置されたインターホン管理盤３と、隣接して構成された機械式駐車場に設置された駐車場制御盤１７を備えた機械式駐車場インターホン連動装置において、インターホン管理盤３に、各インターホン操作端末１から機械式駐車場の出庫予約を行うことを判別して検出する駐車場連動部１８を設け、駐車場制御盤１７に、駐車場連動部１８を経由して出庫予約を受け付ける予約処理部２０と、予約処理部２０への登録に基づいて駐車場制御盤１７による対応する駐車車両の移動を制御する予約出庫管理部２１を設けたことを特徴とする。
【００４１】
このような構成によれば、機械式駐車場に隣接しているマンションや他のビルの機械式駐車場利用者は、通常設置されているインターホン操作端末１を利用して出庫予約を行うことができ、その隣接する利便性を活用して駐車車両の使用性を一層向上させることができる。しかも、インターホン管理盤３をインターホン操作端末１と駐車場制御盤１７の間で兼用することによって、構成を複雑にすることなく、望まない人の使用を比較的に容易に阻止することができる。
【００４２】
また本発明は上述の構成に加えて、予約処理部２０に、現在の運転状況を判定する駐車場運転判定部２９と、駐車場運転判定部２９による判定で先行する運転がない場合に対応する駐車車両のトレー位置から予約時間を算出する予約時間算出部３１と、予約時間算出部３１による予約時間をインターホン管理盤３から予約操作中のインターホン操作端末１に通知する予約時間通知部３２を設けたことを特徴とする。
【００４３】
このような構成によれば、先行する出庫予約台数がない場合は、ほぼ正確な予約時間を提供できるため、出庫準備ができているにも拘わらず利用者が到着せずに利用率が低下することを防止して、当該状況でのサービスを向上させることができる。
【符号の説明】
【００４４】
１    インターホン操作端末
３    インターホン管理盤
１７  駐車場制御盤
１８  駐車場連動部
２０  予約処理部
２１  予約出庫管理部
２９  駐車場運転判定部
３１  予約時間算出部
３２  予約時間通知部
【図１】
2020176434.tif 000003
【図２】
2020176434.tif 000004
【図３】
2020176434.tif 000005
【図４】
2020176434.tif 000006
【図５】
2020176434.tif 000007
【図６】
2020176434.tif 000008
【図７】
2020176434.tif 000009